(57)【要約】【課題】灯具の位置ずれをより確実に抑制することが可能な照明装置およびスペーサ部材を得る。【解決手段】照明装置１０は、筒状の設置側取付部２２１を有し、設置面２ａに設置される設置側部材２０と、灯具３１と設置側取付部２２１が挿入される筒状の灯具側取付部３２１とを有し、設置側部材２０に取り付けられる灯具側部材３０と、を備えている。また、照明装置１０は、設置側部材２０および灯具側部材３０とは別部材で形成され、一部が設置側取付部２２１の外面２２１ｃよりも灯具側取付部３２１の内面３２１ｂ側に配置されるスペーサ部材４０を備えている。そして、スペーサ部材４０は、設置側取付部２２１に支持される支持部４３ａと、設置側取付部２２１に支持された状態で、設置側取付部２２１の外面２２１ｃよりも灯具側取付部３２１の内面３２１ｂ側に突出する突出部４２と、を備えている。【選択図】図４
2020166943.tif 000002
【特許請求の範囲】
【請求項１】
筒状の設置側取付部を有し、設置面に設置される設置側部材と、
灯具と前記設置側取付部が挿入される筒状の灯具側取付部とを有し、前記設置側部材に取り付けられる灯具側部材と、
前記設置側部材および前記灯具側部材とは別部材で形成され、一部が前記設置側取付部の外面よりも前記灯具側取付部の内面側に配置されるスペーサ部材と、
を備え、
前記スペーサ部材は、
前記設置側取付部に支持される支持部と、
前記設置側取付部に支持された状態で、前記設置側取付部の外面よりも前記灯具側取付部の内面側に突出する突出部と、
を備えることを特徴とする照明装置。
【請求項２】
前記スペーサ部材は、前記設置側取付部の内部に挿入される被挿入部を備えており、
前記被挿入部を前記設置側取付部の内部に挿入した状態で、前記設置側取付部の先端に当接する当接部が前記支持部となっていることを特徴とする請求項１に記載の照明装置。
【請求項３】
前記スペーサ部材は、一側が前記設置側取付部の内径よりも小径で、他側が前記設置側取付部の外径よりも大径となる錘台状をしており、
前記スペーサ部材における前記設置側取付部の内径よりも小径の部位が前記被挿入部となっており、前記設置側取付部の外径よりも大径の部位が前記突出部となっており、前記設置側取付部の内径と同径の部位が前記当接部となっていることを特徴とする請求項２に記載の照明装置。
【請求項４】
前記スペーサ部材は、前記設置側取付部の内径よりも若干小径の外径となる筒状部と、前記筒状部に連設され、外径が前記設置側取付部の外径よりも大径となるフランジ部と、を備えており、
前記筒状部が前記被挿入部となっており、前記フランジ部の前記設置側取付部の外径よりも大径の部位が前記突出部となっており、前記フランジ部の内周縁部が前記当接部となっていることを特徴とする請求項２に記載の照明装置。
【請求項５】
前記設置側取付部は、設置面側に形成される大径部と、先端側に形成される小径部と、前記大径部と前記小径部とを連設する連設部と、を備えており、
前記スペーサ部材は、前記大径部の外径よりも小径かつ前記小径部の外径よりも大径の貫通孔が形成され、外径が前記大径部の外径よりも大径の環状部を備えており、
前記小径部を前記貫通孔に挿通させて、前記環状部を前記連結部に当接させた状態で、前記環状部における前記大径部よりも大径の部位が前記突出部となっていることを特徴とする請求項１に記載の照明装置。
【請求項６】
前記灯具側部材は、前記灯具が取り付けられるアダプタを備えており、
前記アダプタに、前記設置側取付部が挿入される前記灯具側取付部が形成されていることを特徴とする請求項１〜５のうちいずれか１項に記載の照明装置。
【請求項７】
請求項１〜５のうちいずれか１項に記載の照明装置が備えるスペーサ部材。
【請求項８】
設置面に設置される設置側部材に形成された筒状の設置側取付部の外面よりも、灯具を有する灯具側部材に形成されて前記設置側取付部が挿入される筒状の灯具側取付部の内面側に、一部が位置するように配置されるスペーサ部材であって、
前記設置側取付部に支持される支持部と、
前記設置側取付部に支持された状態で、前記設置側取付部の外面よりも前記灯具側取付部の内面側に突出する突出部と、
を備えることを特徴とするスペーサ部材。
【発明の詳細な説明】
【技術分野】
【０００１】
本開示は、照明装置およびスペーサ部材に関する。
【背景技術】
【０００２】
従来、照明装置として、灯具（照明器具）と、灯具が装着される支柱部（ポール）と、を備えるものが知られている（例えば、特許文献１参照）。
【０００３】
この特許文献１では、灯具は、アダプタを介して支柱部に装着されている。具体的には、円筒状のアダプタの側部に灯具が取り付けられており、円筒状のアダプタの下端部が支柱部に装着される装着部となっている。そして、この装着部の内部空間に、支柱部の先端に形成されたジョイント部を挿入することで、灯具を支柱部に装着させている。
【先行技術文献】
【特許文献】
【０００４】
【特許文献１】特開２０１８−１８１７１９号公報
【発明の概要】
【発明が解決しようとする課題】
【０００５】
ところで、円筒状のアダプタの下端部に支柱部のジョイント部を挿入する場合、挿入性を向上させるために、アダプタの内面とジョイント部の外面との間に隙間が形成されるようにするのが一般的である。
【０００６】
そのため、上記従来の技術のように、支柱部のジョイント部を、アダプタの下端部に単に挿入させるだけでは、アダプタが支柱部のジョイント部に対して位置ずれしてしまう場合がある。
【０００７】
このように、アダプタが支柱部のジョイント部に対して位置ずれしてしまうと、灯具が支柱部に位置ずれした状態で装着されてしまう。
【０００８】
そこで、本開示は、灯具の位置ずれをより確実に抑制することが可能な照明装置およびスペーサ部材を得ることを目的とする。
【課題を解決するための手段】
【０００９】
本開示にかかる照明装置は、筒状の設置側取付部を有し、設置面に設置される設置側部材と、灯具と前記設置側取付部が挿入される筒状の灯具側取付部とを有し、前記設置側部材に取り付けられる灯具側部材と、を備えている。また、照明装置は、前記設置側部材および前記灯具側部材とは別部材で形成され、一部が前記設置側取付部の外面よりも前記灯具側取付部の内面側に配置されるスペーサ部材を備えている。そして、前記スペーサ部材は、前記設置側取付部に支持される支持部と、前記設置側取付部に支持された状態で、前記設置側取付部の外面よりも前記灯具側取付部の内面側に突出する突出部と、を備えている。
【００１０】
本開示にかかるスペーサ部材は、設置面に設置される設置側部材に形成された筒状の設置側取付部の外面よりも、灯具を有する灯具側部材に形成されて、前記設置側取付部が挿入される筒状の灯具側取付部の内面側に一部が位置するように配置されるものである。このスペーサ部材は、前記設置側取付部に支持される支持部と、前記設置側取付部に支持された状態で、前記設置側取付部の外面よりも前記灯具側取付部の内面側に突出する突出部と、を備えている。
【発明の効果】
【００１１】
本開示によれば、灯具の位置ずれをより確実に抑制することが可能な照明装置およびスペーサ部材を得ることができる。
【図面の簡単な説明】
【００１２】
【図１】第１実施形態にかかる照明装置が設置された状態を模式的に示す斜視図である。
【図２】第１実施形態にかかる照明装置を模式的に示す側面図である。
【図３】第１実施形態にかかる照明装置の灯具を取り外した状態を模式的に示す側面図である。
【図４】第１実施形態にかかる灯具側取付部を設置側取付部に取り付けた状態を模式的に示す側面図である。
【図５】図４のＡ−Ａ断面図である。
【図６】第１実施形態にかかる灯具側取付部、スペーサ部材および設置側取付部を模式的に示す側面図である。
【図７】（ａ）は、第１実施形態にかかるスペーサ部材を設置側取付部上に載置する前の状態を模式的に示す斜視図、（ｂ）は、第１実施形態にかかるスペーサ部材を設置側取付部上に載置した状態を模式的に示す斜視図である。
【図８】（ａ）は、第１実施形態の変形例にかかるスペーサ部材を設置側取付部上に載置する前の状態を模式的に示す斜視図、（ｂ）は、第１実施形態の変形例にかかるスペーサ部材を設置側取付部上に載置した状態を模式的に示す断面図である。
【図９】第２実施形態にかかる照明装置を模式的に示す側面図である。
【図１０】第２実施形態にかかる灯具側取付部、スペーサ部材および設置側取付部を模式的に示す側面図である。
【図１１】（ａ）は、第２実施形態にかかるスペーサ部材を設置側取付部上に載置する前の状態を模式的に示す斜視図、（ｂ）は、第２実施形態にかかるスペーサ部材を設置側取付部上に載置した状態を模式的に示す側面図である。
【発明を実施するための形態】
【００１３】
以下、図面を参照しながら、各実施形態の照明装置を説明する。なお、各実施形態の説明および図面においては、同一の参照符号が同一の部分に付されている。同一の参照符号が付された同一の部分の説明は、後続の実施形態において繰り返されない。第１実施形態と後続の実施形態との図面の対比において、同一の参照符号が付された同一の部分は、特に説明がなければ、同一の構造および機能を有している。
【００１４】
また、以下の各実施形態では、照明装置として、歩道等の屋外に設置される外灯を例示するとともに、光源部としてＬＥＤ光源を用いたものを例示する。
【００１５】
（第１実施形態）
本実施形態にかかる外灯（照明装置）１０は、図１に示すように、車道１の両側に形成された歩道２の歩道面（設置面）２ａに設置することで、車道１や歩道２等、外灯１０の周辺環境を照らすものである。
【００１６】
この照明装置１０は、図２および図３に示すように、歩道２の歩道面（設置面）２ａに設置される設置側部材２０と、灯具３１を有し、設置側部材２０の上部に取り付けられる灯具側部材３０と、を備えている。
【００１７】
本実施形態では、設置側部材２０は、一部を地中に埋め込み固定する等により歩道面２ａに設置される台座部２１と、下端が台座部２１により支持され、略鉛直方向に立ち上がるように延設された略円筒状（筒状）の支柱部２２と、を備えている（図１参照）。なお、台座部２１を歩道面２ａの上に載置することで、設置側部材２０を設置することも可能であるし、支柱部２２の下端を尖らせて、尖らせた下端を地中に差し込むことで、設置側部材２０を設置することも可能である。
【００１８】
そして、台座部２１を介して歩道面２ａに設置された支柱部２２の上端部（先端部）２２１に、灯具側部材３０を取り付けることで、外灯１０が歩道面２ａに設置されるようにしている。
【００１９】
支柱部２２は、例えば、ステンレス鋼材等の金属材料を用いて形成することができるが、これに限らず、様々な材料を用いて形成することができる。
【００２０】
また、本実施形態では、支柱部２２は、下端から上端まで略同径の筒状をしており、この支柱部２２の内部に、電気配線や後述する落下防止部材３１８等を収容することができるようになっている。そして、この支柱部２２の上端部２２１が、上方に開口する開口２２１ａが形成された円筒状（筒状）の設置側取付部となっており、この設置側取付部（上端部２２１）に、灯具側部材３０が取り付けられている。
【００２１】
本実施形態では、灯具側部材３０は、光源部３１１を有する灯具３１と、灯具３１を設置側部材２０に取り付けるためのアダプタ３２と、を備えている。
【００２２】
灯具３１は、外郭の下側を構成するホルダ３１２と、外郭の上側を構成するグローブ３１３と、を備えており、このホルダ３１２とグローブ３１３とで略球状に形成されている。そして、ホルダ３１２とグローブ３１３とで形成される略球状の外郭内には空間Ｓが形成されており、この空間Ｓ内に光源部３１１が配置されている。
【００２３】
本実施形態では、ホルダ３１２は、ステンレス鋼材等の材料で形成されており、光を透過させない光非透過性を有している。一方、グローブ３１３は、ガラスやアクリル樹脂等の材料で形成されており、光透過性を有している。したがって、本実施形態では、光源部３１１から出射された光は、グローブ３１３を透過して外部に照射されることになる。
【００２４】
なお、ホルダ３１２は、ステンレス鋼材等の材料に限らず、様々な材料を用いて形成することができる。このとき、ホルダ３１２の少なくとも一部が光透過性を有するようにしてもよい。また、光透過性を有するグローブ３１３も、様々な材料を用いて形成することができる。
【００２５】
ホルダ３１２は、下に凸となるように湾曲したボウル状の本体部３１２ａを備えており、この本体部３１２ａの外周縁部に形成されたグローブ取付部３１２ｃにグローブ３１３が取り付けられている（図２および図３参照）。
【００２６】
また、本体部３１２ａの中央下端部（下に凸となるように湾曲した球面の最下端部）には、円筒状（筒状）の取付部３１２ｂが下方に突出するように一体に形成されている。この円筒状（筒状）の取付部３１２ｂは、下方に開口しており、取付部３１２ｂ内の空間が空間Ｓと連通している。
【００２７】
そして、本体部３１２ａの上部には、略円板状の取付板３１２ｄが配置されており、この取付板３１２によって、略球状の外郭内の空間Ｓが、グローブ３１３側の上側空間Ｓ１と、ホルダ３１２側の下側空間Ｓ２と、に仕切られている。
【００２８】
そして、この取付板３１２の上側には、上方に突出する略四角柱状の柱状支持部材３１４が配置されており、この柱状支持部材３１４の各側面に光源部３１１がそれぞれ取り付けられている。具体的には、４つ（複数個）の光源部３１１を、柱状支持部材３１４の各側面に一つずつ取り付けている。このとき、４つの光源部３１１は、上下方向の高さ位置が略同一となるように柱状支持部材３１４の側面に取り付けられている。このように、本実施形態では、４つ（複数個）の光源部３１１を、灯具本体３０の空間Ｓ内に周状に配置している。
【００２９】
この光源部３１１は、光源としてのＬＥＤ素子（半導体素子）３１１ａと、ＬＥＤ素子３１１ａから出射された光を集光するレンズ（光学部材）３１１ｂと、を備えている。
【００３０】
一方、取付板３１２の下側には、光源３１１に電力を供給するための電源ボックス３１５が配置されている。また、下側空間Ｓ２には、安定器収容部３１６が形成されており、この安定器収容部３１６に、光源３１１の点灯状態を制御する安定器３１７が収容されている。
【００３１】
さらに、本実施形態では、灯具３１には、灯具３１がアダプタ３２から外れて地面等に落下してしまうことを抑制する落下防止部材３１８が取り付けられている。この落下防止部材３１８は、一端側が灯具３１に取り付けられた落下防止ワイヤ３１８ａと、落下防止ワイヤ３１８ａの他端側に取り付けられるスクリュージョイント３１８ｂと、スクリュージョイント３１８ｂに連設された落下防止棒３１８ｃと、を備えている。
【００３２】
ここで、本実施形態では、灯具３１が、設置側部材２０の設置側取付部（上端部２２１）とは形や径などのサイズが合わない取付部３１２ａを有している。具体的には、支柱部２２（上端部２２１）が、外径が約１２０ｍｍとなるように形成されているのに対して、灯具３１には、外径が約４０ｍｍの取付部３１２ｂが形成されている。
【００３３】
このように、本実施形態では、支柱部２２（上端部２２１）の径と灯具３１の取付部３１２ｂの径とが異なっており、灯具３１の取付部３２１ｂを設置側取付部（上端部２２１）に直接取り付けることができない構成をしている。
【００３４】
そこで、本実施形態では、上述したアダプタ３２を介して灯具３１の取付部３１２ａを設置側部材２０の設置側取付部（上端部２２１）に取り付けるようにしている。
【００３５】
このように、アダプタ３２は、設置側部材２０の設置側取付部（上端部２２１）とは形や径などのサイズが合わない取付部３１２ａを有する灯具３１を、設置側部材２０に取り付けるために用いられるものである。
【００３６】
そして、このようなアダプタ３２を用いるようにすれば、既設の支柱部２２を交換することなく、既設の支柱部２２に、設置側取付部（上端部２２１）とはサイズが異なる取付部３２１ｂを有する灯具３１を取り付けることができるようになる。
【００３７】
本実施形態では、アダプタ３２は、上下に貫通する筒状をしており、このアダプタ３２には、灯具３１の取付部３２１ｂが取り付けられる取付部と、設置側取付部（上端部２２１）に取り付けられる取付部（灯具側取付部）とが形成されている。
【００３８】
具体的には、設置側取付部（上端部２２１）の外径よりも若干大きい内径を有する筒状の大径部３２１と、大径部３２１の上側に配置され、灯具３１の取付部３２１ｂの内径よりも若干小さい外径を有する筒状の小径部３２２と、を備えている（図４参照）。
【００３９】
さらに、アダプタ３２は、大径部３２１の上部と小径部３２２の下部とを連結する連結壁３２３を備えており、この連結壁３２３によって大径部３２１と小径部３２２とが同心状に連結されている。このようなアダプタ３２は、例えば、大径の筒の一端を塞ぐ壁部の中心に、小径の筒を嵌合させることが可能な孔を形成し、この孔に小径の筒の先端を嵌合させて溶接等により固定することで得ることができる。なお、アダプタ３２は、大径部３２１の外径が約１４０ｍｍ、小径部３２２の外径が約３８ｍｍとなるように形成されている。
【００４０】
そして、本実施形態では、下方に開口３２１ａが形成された大径部３２１を、設置側取付部（上端部２２１）に取り付けられる取付部（灯具側取付部）として機能させている。また、上方に開口３２２ａが形成された小径部３２２を、灯具３１の取付部３２１ｂが取り付けられる取付部として機能させている。
【００４１】
また、本実施形態では、大径部３２１の側部に、セットボルト５０が取り付けられている。具体的には、大径部３２１の側部の上部には、３つのセットボルト５０が、周方向に等間隔に設けられている（図５参照）。そして、３つのセットボルトの下方にもそれぞれセットボルト５０が設けられている（図４参照）。このように、本実施形態では、大径部３２１の側部には、６つのセットボルト５０が設けられている。
【００４２】
そして、上端部２２１を開口３２１ａから大径部３２１の内部に挿入した状態で、セットボルト５０の先端で上端部２２１の外側面２２１ｃを押圧することで、大径部３２１が上端部２２１に固定されるようにしている（図５参照）。なお、上端部２２１の大径部３２１内への挿入は、連結壁３２３によって規制されている。
【００４３】
一方、灯具３１は、アダプタ３２の小径部３２２を取付部３２１ｂに挿入させることで、アダプタ３２に取り付けられるようになっている。なお、上述したセットボルト５０等の固定部材を用いて、灯具３１をアダプタ３２に固定させることも可能である。
【００４４】
ここで、本実施形態では、設置側取付部（上端部２２１）を大径部３２１の内部に挿入した状態で、上端部２２１の外側面２２１ｃと大径部３２１の内面３２１ｂとの間に隙間Ｄ１が形成されるようにしている。このような隙間Ｄ１が形成されるようにすることで、設置側取付部（上端部２２１）の大径部３２１への挿入性を向上させている。
【００４５】
しかしながら、上端部２２１の外側面２２１ｃと大径部３２１の内面３２１ｂとの間に隙間Ｄ１が形成されていると、上端部２２１を大径部３２１に、位置ずれした状態で挿入してしまう場合がある。すなわち、上端部２２１を大径部３２１に挿入した状態で、上端部２２１の中心と大径部３２１の中心とがずれてしまう場合がある。その結果、灯具３１が上端部２２１の中心からずれた状態で設置側部材２０に取り付けられてしまうことがある。
【００４６】
そのため、上端部２２１の外側面２２１ｃと大径部３２１の内面３２１ｂとの間に形成される隙間Ｄ１を埋めるスペーサを設け、位置ずれをより確実に抑制できるようにするのが好ましい。
【００４７】
このとき、大径部３２１の内面３２１ｂに複数のスペーサを周方向に沿って溶接し、上端部２２１を大径部３２１に挿入した際に、複数のスペーサによって隙間Ｄ１が埋められるようにすることが考えられる。
【００４８】
しかしながら、大径部３２１の内面３２１ｂに複数のスペーサを溶接すると、アダプタ３２の製造に手間がかかってしまう。また、溶接時にスペーサの突出量を揃えることが難しいため、複数のスペーサの突出量が揃わない場合もあり、このようなアダプタを用いると、中心が上端部２２１の中心からずれた状態で灯具３１が設置側部材２０に取り付けられてしまうことがある。
【００４９】
そこで、本実施形態では、より容易に製造することができ、より確実に灯具３１の位置ずれを抑制することができるスペーサ部材４０を用いるようにした。
【００５０】
具体的には、アダプタ３２や支柱部２２とは別部材で形成されたスペーサ部材４０を用いて、隙間Ｄ１が埋められるようにした。
【００５１】
すなわち、外灯１０が、設置側部材２０および灯具側部材３０とは別部材で形成され、一部が設置側取付部（上端部２２１）の外側面（外面）２２１ｃよりも灯具側取付部（大径部３２１）の内面３２１ｂ側に配置されるスペーサ部材４０を備えるようにした。
【００５２】
このスペーサ部材４０は、例えば、ステンレス鋼材等の金属材料を用いて形成することができるが、これに限らず、様々な材料を用いて形成することができる。
【００５３】
本実施形態では、スペーサ部材４０は、図６および図７に示すように、下側（一側）が設置側取付部（上端部２２１）の内径よりも小径で、上側（他側）が設置側取付部（上端部２２１）の外径よりも大径となる錘台状をしている。具体的には、スペーサ部材４０は、円錐台形の筒状をしており、このスペーサ部材４０には、上下方向に貫通する貫通孔４０ａが形成されている。この貫通孔４０ａは、電気配線や落下防止部材３１８等を挿通させるために設けられている。
【００５４】
そして、このような形状をしたスペーサ部材４０を、設置側取付部（上端部２２１）に支持させるようにしている。具体的には、スペーサ部材４０の小径側（下側）を、上端部２２１の内部空間に開口２２１ａから挿入し、スペーサ部材４０の上端部２２１の内径と同径の部位を、上端部２２１の内側端縁（先端面２２１ｂ）に当接させるようにしている。こうすることで、スペーサ部材４０が上端部２２１に支持されるようにしている。このとき、スペーサ部材４０の大径側（上側）は、上端部２２１の外側面（外面）２２１ｃよりもアダプタ３２の大径部（灯具側取付部）３２１の内面３２１ｂ側に突出している（図７（ｂ）参照）。
【００５５】
このように、本実施形態では、円錐台形状のスペーサ部材４０における上端部２２１の内径よりも小径の部位が被挿入部４１となっており、上端部２２１の外径よりも大径の部位が突出部４２となっている。そして、円錐台形状のスペーサ部材４０の外面４３のうち上端部２２１の内径と同径の部位の外面４３が当接部４４となっている。
【００５６】
そして、スペーサ部材４０の当接部４４が、設置側取付部（上端部２２１）に支持される支持部となっている。
【００５７】
すなわち、本実施形態では、スペーサ部材４０は、設置側取付部（上端部２２１）に支持される支持部（当接部４４）を備えている。さらに、スペーサ部材４０は、支持部（当接部４４）を上端部２２１に支持させた状態で、上端部２２１の外側面（外面）２２１ｃよりもアダプタ３２の大径部（灯具側取付部）３２１の内面３２１ｂ側に突出する突出部４２を備えている。
【００５８】
そして、スペーサ部材４０は、最大径（上端の径）が、アダプタ３２の大径部（灯具側取付部）３２１の内径よりも若干小さくなるように形成されている。本実施形態では、スペーサ部材４０の最大径（上端の径）が、アダプタ３２の大径部（灯具側取付部）３２１の内径よりも２ｍｍ〜５ｍｍほど小さくなるようにしている。
【００５９】
そして、スペーサ部材４０を上端部２２１に支持（当接）させた状態で、大径部（灯具側取付部）３２１の内部に上端部２２１を挿入させるようにすれば、上端部２２１の中心と大径部３２１の中心との位置ずれを、突出部４２によって抑制することができる。
【００６０】
すなわち、スペーサ部材４０を上端部２２１上に載置させるだけで、上端部２２１の中心と大径部３２１の中心との位置ずれを抑制することができるようになる。
【００６１】
なお、スペーサ部材４０の替わりに、図８に示すスペーサ部材４０Ａを用いることも可能である。
【００６２】
このスペーサ部材４０Ａも、ステンレス鋼材等、様々な材料を用いて形成することができる。
【００６３】
スペーサ部材４０Ａは、図８に示すように、設置側取付部（上端部２２１）の内径よりも若干小径の外径となる筒状部４５と、筒状部４５に連設され、外径が設置側取付部（上端部２２１）の外径よりも大径となるフランジ部４６と、を備えている。このスペーサ部材４０Ａにも、上下方向に貫通する貫通孔４０ａが形成されている。
【００６４】
そして、このような形状をしたスペーサ部材４０Ａが、設置側取付部（上端部２２１）に支持されるようにしている。具体的には、スペーサ部材４０Ａの筒状部４５を、上端部２２１の内部空間に開口２２１ａから挿入し、スペーサ部材４０Ａのフランジ部４６における下面４６ａの内周側を、上端部２２１の先端面２２１ｂに当接させるようにしている。こうすることで、スペーサ部材４０Ａが上端部２２１に支持されるようにしている。このとき、スペーサ部材４０Ａは、フランジ部４６の外周側を、上端部２２１の外側面（外面）２２１ｃよりもアダプタ３２の大径部（灯具側取付部）３２１の内面３２１ｂ側に突出させた状態で、上端部２２１に支持されることになる（図８（ｂ）参照）。
【００６５】
このように、図８に示すスペーサ部材４０Ａでは、筒状部４５が被挿入部４１となっており、フランジ部４６の外周側（設置側取付部の外径よりも大径の部位）が突出部４２となっている。そして、図８に示すスペーサ部材４０Ａでは、フランジ部４６の下面４６ａのうち上端部２２１の先端面２２１ｂと当接する部位（フランジ部４６の下面４６ａの内周縁部）が、当接部４４となっている。また、スペーサ部材４０Ａの当接部４４が、設置側取付部（上端部２２１）に支持される支持部となっている。
【００６６】
このように、図８に示すスペーサ部材４０Ａは、設置側取付部（上端部２２１）に支持される支持部（当接部４４）を備えている。さらに、スペーサ部材４０Ａは、支持部（当接部４４）を上端部２２１に支持させた状態で、上端部２２１の外側面（外面）２２１ｃよりもアダプタ３２の大径部（灯具側取付部）３２１の内面３２１ｂ側に突出する突出部４２を備えている。
【００６７】
そして、スペーサ部材４０Ａのフランジ部４６の径は、アダプタ３２の大径部（灯具側取付部）３２１の内径よりも若干小さくなっている。本実施形態では、フランジ部４６の径は、アダプタ３２の大径部（灯具側取付部）３２１の内径よりも２ｍｍ〜５ｍｍほど小さくなるようにしている。
【００６８】
したがって、スペーサ部材４０Ａを上端部２２１に支持（当接）させた状態で、大径部（灯具側取付部）３２１の内部に上端部２２１を挿入させるようにすれば、上端部２２１の中心と大径部３２１の中心との位置ずれを突出部４２によって抑制することができる。
【００６９】
すなわち、スペーサ部材４０Ａを上端部２２１上に載置させるだけで、上端部２２１の中心と大径部３２１の中心との位置ずれを抑制することができるようになる。
【００７０】
（第２実施形態）
本実施形態にかかる外灯（照明装置）１０も、歩道２の歩道面（設置面）２ａに設置される設置側部材２０と、灯具３１を有し、設置側部材２０の上部に取り付けられる灯具側部材３０と、を備えている（図９参照）。
【００７１】
本実施形態では、設置側部材２０は、略円筒状（筒状）の支柱部２２Ｂを備えており、この支柱部２２Ｂの内部に、電気配線や落下防止部材３１８等が収容されている。そして、この支柱部２２Ｂの上端部（先端部）２２１が、上方に開口する開口２２１ａが形成された円筒状（筒状）の設置側取付部となっており、この上端部（先端部：設置側取付部）２２１に、灯具側部材３０が取り付けられている。
【００７２】
ここで、本実施形態では、上端部（先端部：設置側取付部）２２１は、歩道面（設置面）２ａ側に形成される大径部２２２と、先端側に形成される小径部２２３と、大径部２２２と小径部２２３とを連設する連設部と、を備えている。さらに、本実施形態では、連設部が、小径部２２３の下端に連設されて、下方に向かうにつれて拡径する傾斜部２２４と、略平行に延在して、傾斜部２２４の下端と、大径部２２２の上端とを連設する段差部２２５と、を備えている。
【００７３】
一方、灯具側部材３０は、光源部３１１を有する略球状の灯具３１を備えている。この灯具３１は、基本的に、上記第１実施形態で示した灯具３１と同様の構成をしている。
【００７４】
そして、本実施形態においても、灯具３１が、設置側部材２０の上端部（先端部：設置側取付部）２２１とは形や径などのサイズが合わない取付部３１２ａを有している。具体的には、支柱部２２Ｂ（大径部２２２）が、外径が約６０ｍｍとなるように形成されているのに対して、灯具３１には、外径が約８０ｍｍの取付部３１２ｂが形成されている。そのため、アダプタ３２Ｂを介して灯具３１の取付部３１２ａを設置側部材２０の設置側取付部（上端部２２１）に取り付けるようにしている。
【００７５】
アダプタ３２Ｂは、上下に貫通する筒状をしており、このアダプタ３２Ｂには、灯具３１の取付部３２１ｂが取り付けられる取付部と、設置側取付部（上端部２２１）に取り付けられる取付部（灯具側取付部）とが形成されている。なお、アダプタ３２Ｂの外径は約７６ｍｍとなるように形成されている。
【００７６】
本実施形態では、アダプタ３２Ｂは、下端から上端まで略同径となる筒状をしており、このアダプタ３２Ｂの内部に、支持棒３２６が溶接等により取り付けられている。
【００７７】
そして、このアダプタ３２Ｂの上端部３２４が、上方に開口する開口３２４ａが形成された円筒状（筒状）の取付部となっており、この取付部に、灯具３１が取り付けられている。
【００７８】
一方、アダプタ３２Ｂの下端部３２５が、下方に開口する開口３２５ａが形成された円筒状（筒状）の灯具側取付部となっており、この灯具側取付部に、支柱部２２Ｂの上端部（先端部：設置側取付部）２２１が取り付けられている。
【００７９】
また、本実施形態では、アダプタ３２Ｂの下端部３２５の側部に、セットボルト５０が取り付けられている。そして、上端部２２１を開口３２５ａから下端部３２５の内部に挿入した状態で、セットボルト５０の先端で大径部２２２の外側面２２２ａを押圧することで、下端部３２５が大径部２２２に固定されるようにしている（図９参照）。
【００８０】
なお、本実施形態では、小径部２２３の先端面２２３ａが支持棒３２６に当接することで、上端部２２１のアダプタ３２Ｂ内への挿入が規制されている。
【００８１】
一方、灯具３１は、アダプタ３２Ｂの上端部３２４を取付部３２１ｂに挿入させることで、アダプタ３２Ｂに取り付けられるようになっている。なお、本実施形態においても、上述したセットボルト５０等の固定部材を用いて、灯具３１をアダプタ３２Ｂに固定させることが可能である。
【００８２】
ここで、本実施形態においても、設置側取付部（上端部２２１）をアダプタ３２Ｂの下端部３２５の内部に挿入した状態で、大径部２２２の外側面２２２ａとアダプタ３２Ｂの下端部３２５の内面３２５ｂとの間に隙間Ｄ２が形成されるようにしている。このような隙間Ｄ２が形成されるようにすることで、設置側取付部（上端部２２１）のアダプタ３２Ｂの下端部３２５への挿入性を向上させている。
【００８３】
そのため、本実施形態においても、より容易に製造することができ、より確実に灯具３１の位置ずれを抑制することができるスペーサ部材４０Ｂを用いるようにしている。
【００８４】
具体的には、アダプタ３２Ｂや支柱部２２Ｂとは別部材で形成されたスペーサ部材４０Ｂを用いて、隙間Ｄ２が埋められるようにしている。
【００８５】
このスペーサ部材４０Ｂも、ステンレス鋼材等、様々な材料を用いて形成することができる。
【００８６】
スペーサ部材４０Ｂは、図１０および図１１に示すように、円環状の環状部４７を有しており、このスペーサ部材４０Ｂにも、上下方向に貫通する貫通孔４０ａが形成されている。
【００８７】
本実施形態では、貫通孔４０ａは、上方に向かうにつれて縮径する円錐台状をしている。そして、貫通孔４０ａの下端の径が大径部２２２の外径よりも小径となっており、上端の径が小径部２２３の外径よりも大径となっている。さらに、本実施形態では、環状部４７の内面４７ａが、傾斜部２２４の外側傾斜面２２４ａに面接触する傾斜面となるようにしている。すなわち、貫通孔４０ａの下端の径と傾斜部２２４の下端の径とが略同径となるようにしつつ、環状部４７の内面４７ａの傾斜角度と傾斜部２２４の外側傾斜面２２４ａの傾斜角度とが略同角となるようにしている。
【００８８】
そして、このような形状をしたスペーサ部材４０Ｂを、設置側取付部（上端部２２１）に支持させるようにしている。具体的には、スペーサ部材４０Ｂの貫通孔４０ａに上端部２２１を挿入し、環状部４７の内面４７ａを傾斜部２２４の外側傾斜面２２４ａに面接触させつつ、環状部４７の下面４７ｂの内周側を段差部２２５の段差面２２５ａに面接触させるようにしている。こうすることで、スペーサ部材４０Ｂが上端部２２１に支持されるようにしている。このとき、スペーサ部材４０Ｂの環状部４７の外周側は、大径部２２２の外側面（外面）２２２ａよりもアダプタ３２Ｂの下端部３２５の内面３２５ｂ側に突出している（図９参照）。
【００８９】
このように、本実施形態では、スペーサ部材４０Ｂの環状部４７における大径部２２２の外径よりも大径の部位が突出部４２となっており、スペーサ部材４０Ｂの内面４７ａおよび下面４７ｂの内周側が当接部４４となっている。
【００９０】
そして、スペーサ部材４０Ｂの当接部４４が、設置側取付部（上端部２２１）に支持される支持部となっている。
【００９１】
このように、本実施形態においても、スペーサ部材４０Ｂは、設置側取付部（上端部２２１）に支持される支持部（当接部４４）を備えている。さらに、スペーサ部材４０Ｂは、支持部を上端部（設置側取付部）２２１に支持させた状態で、大径部（設置側取付部）２２２の外側面（外面）２２２ａよりもアダプタ３２Ｂの下端部（灯具側取付部）３２５の内面３２５ａ側に突出する突出部４２を備えている。
【００９２】
そして、スペーサ部材４０Ｂは、環状部４７の外径が、アダプタ３２の下端部（灯具側取付部）３２５の内径よりも若干小さくなるように形成されている。本実施形態では、環状部４７の外径が、アダプタ３２の下端部（灯具側取付部）３２５の内径よりも２ｍｍ〜５ｍｍほど小さくなるようにしている。
【００９３】
そして、スペーサ部材４０Ｂを上端部２２１に支持（当接）させた状態で、下端部（灯具側取付部）３２５の内部に上端部２２１を挿入させるようにすれば、上端部２２１の中心と下端部３２５の中心との位置ずれを、突出部４２によって抑制することができる。
【００９４】
すなわち、スペーサ部材４０Ｂを上端部２２１上に載置させるだけで、上端部２２１の中心と下端部３２５の中心との位置ずれを抑制することができるようになる。
【００９５】
なお、環状部４７の内面４７ａを傾斜させず、鉛直方向に延在する面としてもよい。すなわち、貫通孔４０ａの形状が、傾斜部２２４の下端の径と略同径の円柱状となるようにしてもよい。
【００９６】
以下では、上記各実施形態で示した外灯（照明装置）１０の特徴的構成およびそれにより得られる効果を説明する。
【００９７】
（１）  照明装置（外灯１０）は、筒状の設置側取付部（先端部２２１）を有し、設置面（歩道面２ａ）に設置される設置側部材２０を備えている。また、灯具３１と設置側取付部が挿入される筒状の灯具側取付部（大径部３２１や下端部３２５）とを有し、設置側部材２０に取り付けられる灯具側部材３０を備えている。また、設置側部材２０および灯具側部材３０とは別部材で形成され、一部が設置側取付部の外面（外側面２２１ｃや外側面２２２ａ）よりも灯具側取付部の内面（内面３２１ａや内面３２５ｂ）側に配置されるスペーサ部材４０，４０Ａ，４０Ｂを備えている。
【００９８】
また、スペーサ部材は、設置側取付部に支持される支持部（当接部４４）と、設置側取付部に支持された状態で、設置側取付部の外面よりも灯具側取付部の内面側に突出する突出部４２と、を備えている。
【００９９】
こうすれば、灯具側取付部の内部に設置側取付部を挿入させる際に、灯具側取付部の中心と設置側取付部の中心との位置ずれを、突出部４２によって抑制することができる。その結果、灯具３１が設置側取付部の中心からずれた状態で設置側部材２０に取り付けられてしまうことを抑制することができる。
【０１００】
また、スペーサ部材を、設置側部材２０や灯具側部材３０とは独立した部材とすれば、灯具側取付部の内面にスペーサを溶接する場合よりも製造工程を減少させることができるようになる。
【０１０１】
さらに、スペーサ部材を設置側取付部上に載置させるだけで、灯具３１の位置ずれを抑制することができるようになるため、灯具３１の位置ずれが抑制された照明装置１０をより容易に組み立てることができるようになる。
【０１０２】
さらに、スペーサ部材を、設置側部材２０や灯具側部材３０とは独立した部材とすれば、灯具側取付部の内面に複数のスペーサを溶接する場合のように、スペーサの突出量が揃わなくなってしまうことを回避することができる。その結果、灯具３１が設置側取付部の中心からずれた状態で設置側部材２０に取り付けられてしまうことを、より確実に抑制することができるようになる。
【０１０３】
このように、照明装置１０の構成を上記（１）の構成とすれば、より容易に製造することができ、より確実に灯具３１の位置ずれを抑制することができるようになる。
【０１０４】
（２）  また、上記（１）の構成において、スペーサ部材が、設置側取付部の内部に挿入される被挿入部４１を備えるようにしてもよい。そして、被挿入部４１を設置側取付部の内部に挿入した状態で、設置側取付部の先端に当接する当接部４４が支持部となっていてもよい。
【０１０５】
こうすれば、設置側取付部上に載置させたスペーサ部材が、設置側取付部に対して位置ずれしたり、設置側取付部から外れてしまったりすることを抑制することができる。その結果、灯具３１が設置側取付部の中心からずれた状態で設置側部材２０に取り付けられてしまうことを、より確実に抑制することができるようになる。
【０１０６】
（３）  また、上記（２）の構成において、スペーサ部材の形状が、一側が設置側取付部の内径よりも小径で、他側が設置側取付部の外径よりも大径となる錘台状となるようにしてもよい。そして、スペーサ部材における設置側取付部の内径よりも小径の部位が被挿入部４１となり、設置側取付部の外径よりも大径の部位が突出部４２となり、設置側取付部の内径と同径の部位が当接部４４となるようにしてもよい。
【０１０７】
こうすれば、スペーサ部材を様々な径の設置側取付部に支持させることができるようになるため、スペーサ部材に汎用性を持たせることができるようになる。
【０１０８】
（４）  また、上記（２）の構成において、スペーサ部材が、設置側取付部の内径よりも若干小径の外径となる筒状部４５と、筒状部４５に連設され、外径が設置側取付部の外径よりも大径となるフランジ部４６と、を備えるようにしてもよい。そして、筒状部４５が被挿入部４１となるようにし、フランジ部４６の設置側取付部の外径よりも大径の部位が突出部４２となるようにし、フランジ部４６の内周縁部が当接部４４となるようにしてもよい。
【０１０９】
こうすれば、設置側取付部上に載置させたスペーサ部材が、設置側取付部に対して位置ずれしたり、設置側取付部から外れてしまったりすることを、より確実に抑制することができるようになる。
【０１１０】
（５）  また、上記（１）の構成において、設置側取付部が、設置面側に形成される大径部２２２と、先端側に形成される小径部２２３と、大径部２２２と小径部２２３とを連設する連設部（傾斜部２２４および段差部２２５）と、を備えるようにしてもよい。また、スペーサ部材が、大径部２２２の外径よりも小径かつ小径部２２３の外径よりも大径の貫通孔４０ａが形成され、外径が大径部２２２の外径よりも大径の環状部４７を備えるようにしてもよい。そして、小径部２２３を貫通孔４０ａに挿通させて、環状部４７を連結部に当接させた状態で、環状部４７における大径部よりも大径の部位が突出部４２となるようにしてもよい。
【０１１１】
こうすれば、設置側取付部上に載置させたスペーサ部材が設置側取付部から外れてしまうことを、より確実に抑制することができるようになる。
【０１１２】
（６）  また、（１）〜（５）のうちいずれか１つの構成において、灯具側部材３０が、灯具３１が取り付けられるアダプタ３２，３２Ｂを備えるようにしてもよい。そして、アダプタ３２，３２Ｂに、設置側取付部が挿入される灯具側取付部が形成されるようにしてもよい。
【０１１３】
こうすれば、様々なタイプの灯具３１を、位置ずれが抑制された状態で設置側部材２０に取り付けることができるようになる。
【０１１４】
（７）  また、上記（１）〜（６）のうちいずれか１つの構成の照明装置１０が備えるスペーサ部材としてもよい。
【０１１５】
このように、照明装置１０がスペーサ部材を備えるようにすれば、灯具３１の位置ずれをより確実に抑制することができるようになる。
【０１１６】
（８）  また、スペーサ部材は、設置面に設置される設置側部材に形成された筒状の設置側取付部の外面よりも、灯具３１を有する灯具側部材に形成されて設置側取付部が挿入される筒状の灯具側取付部の内面側に一部が位置するように配置されるものである。上記実施形態では、このようなスペーサ部材として、スペーサ部材４０，４０Ａ，４０Ｂを例示している。そして、このスペーサ部材４０，４０Ａ，４０Ｂは、設置側取付部に支持される支持部（当接部４４）と、設置側取付部に支持された状態で、設置側取付部の外面よりも灯具側取付部の内面側に突出する突出部４２と、を備えている。
【０１１７】
このようなスペーサ部材４０，４０Ａ，４０Ｂを用いれば、灯具３１の位置ずれをより確実に抑制することが可能な照明装置１０を得ることができるようになる。
【０１１８】
以上、本開示の好適な実施形態について説明したが、上記実施形態には限定されず、種々の変形が可能である。
【０１１９】
例えば、上記実施形態およびその変形例では、照明装置として、歩道２の歩道面２ａに設置される外灯１０を例示したが、これに限定されるものではない。例えば、庭や庭園（公園含む）等の地面に設置される屋外用の照明装置としてもよいし、屋内の床面やテーブル面上に設置される照明装置とすることも可能である。
【０１２０】
また、上記実施形態およびその変形例では、４つ（複数個）の光源部を用いたものを例示しているが、１つの光源部を用いた構成とすることも可能である。また、２つや３つ、５つ以上の光源部を用いた構成とすることも可能である。また、複数個の光源部を用いた場合、それらの光源部を周状に配置させる必要はなく、列状に配置したり、面状に配置したりすることができる。
【０１２１】
また、上記実施形態およびその変形例では、アダプタ３２を備える灯具側部材３０を例示したが、アダプタ３２を備えていない灯具側部材３０に本開示を適用することも可能である。
【０１２２】
また、上記第２実施形態では、小径部２２３と大径部２２２とを連結する連結部として、傾斜部２２４と段差部２２５とを備えるものを例示したが、小径部２２３と大径部２２２とを水平に延在する段差部２２５のみで連結させた構成とすることも可能である。この場合、スペーサ部材４０Ｂに、内径が小径部２２３の外径と略同径となる円柱状の貫通孔４０ａが形成されるようにするのが好ましい。
【０１２３】
また、上記実施形態およびその変形例では、ＬＥＤ光源を光源部として用いたものを例示したが、半導体光源等を用いることも可能である。
【０１２４】
また、灯具やアダプタ、その他細部のスペック（形状、大きさ、レイアウト等）も適宜に変更可能である。
【符号の説明】
【０１２５】
２ａ  歩道面（設置面）
１０  外灯（照明装置）
２０  設置側部材
２２１  先端部（設置側取付部）
２２１ｃ  外側面（外面）
２２２  大径部
２２２ａ  外側面（外面）
２２３  小径部
２２４  傾斜部（連結部）
２２５  段差部（連結部）
３０  灯具側部材
３１  灯具
３２  アダプタ
３２１  大径部（灯具側取付部）
３２１ｂ  内面
３２５  下端部（灯具側取付部）
３２５ａ  内面
４０  スペーサ部材
４０ａ  貫通孔
４１  被挿入部
４２  突出部
４４  当接部（支持部）
４５  筒状部
４６  フランジ部
４７  環状部
【図１】
2020166943.tif 000003
【図２】
2020166943.tif 000004
【図３】
2020166943.tif 000005
【図４】
2020166943.tif 000006
【図５】
2020166943.tif 000007
【図６】
2020166943.tif 000008
【図７】
2020166943.tif 000009
【図８】
2020166943.tif 000010
【図９】
2020166943.tif 000011
【図１０】
2020166943.tif 000012
【図１１】
2020166943.tif 000013